(57)【要約】【課題】移動無線端末デバイスを移動無線通信ネットワークのネットワークスライスインスタンスに関連付ける優れた方法を提供する。【解決手段】一実施形態によれば、移動無線端末デバイスを移動無線通信ネットワークのネットワークスライスインスタンスに関連付ける方法が記載され、当該方法は、移動無線端末デバイスからネットワークスライスインスタンスに対する要求を受信するステップと、要求している移動無線端末デバイスに割り当てられている関連付けタイミングパラメータに基づくタイミングに従って移動無線端末デバイスをネットワークスライスインスタンスに関連付けるステップと、を含む。【選択図】図７
2019532523.tif 000002
【特許請求の範囲】
【請求項１】
移動無線端末デバイスを移動無線通信ネットワークのネットワークスライスインスタンスに関連付ける方法であって、
前記移動無線端末デバイスから、ネットワークスライスへの接続に対する要求を受信するステップと、
要求している前記移動無線端末デバイスに割り当てられる関連付け情報パラメータに基づいて、前記移動無線端末デバイスへの前記ネットワークスライスインスタンスの早期束縛又は遅延束縛を動的に実施するタイミングで、複数のネットワークスライスインスタンスのセットのうち一のネットワークスライスインスタンスに、前記移動無線端末デバイスを関連付けるステップと、
を含む、移動無線端末デバイスを移動無線通信ネットワークのネットワークスライスインスタンスに関連付ける方法。
【請求項２】
前記方法は、前記移動無線端末デバイスが前記移動無線通信ネットワークにアクセスするプロセスの間に実施される、
請求項１に記載の、移動無線端末デバイスを移動無線通信ネットワークのネットワークスライスインスタンスに関連付ける方法。
【請求項３】
前記移動無線通信ネットワークに記憶されている端末デバイス固有プロファイルから前記関連付け情報パラメータを決定するステップ、
をさらに含む、
請求項１又は２に記載の、移動無線端末デバイスを移動無線通信ネットワークのネットワークスライスインスタンスに関連付ける方法。
【請求項４】
前記プロファイルが、移動無線通信ネットワーク加入者固有プロファイルである、
請求項３に記載の、移動無線端末デバイスを移動無線通信ネットワークのネットワークスライスインスタンスに関連付ける方法。
【請求項５】
前記プロファイルが、ユーザ機器加入プロファイルである、
請求項３又は４に記載の、移動無線端末デバイスを移動無線通信ネットワークのネットワークスライスインスタンスに関連付ける方法。
【請求項６】
前記関連付け情報パラメータが、前記移動無線通信ネットワークのユーザデータ管理機能に記憶される、
請求項１〜５のいずれか一項に記載の、移動無線端末デバイスを移動無線通信ネットワークのネットワークスライスインスタンスに関連付ける方法。
【請求項７】
前記関連付け情報パラメータは、前記関連付けが前記移動無線端末デバイスの登録プロセス中に実施されるべきか、又は、プロトコルデータユニットセッション確立中に実施されるべきかを示す、
請求項１〜６のいずれか一項に記載の、移動無線端末デバイスを移動無線通信ネットワークのネットワークスライスインスタンスに関連付ける方法。
【請求項８】
請求項１〜７のいずれか一項に記載の、移動無線端末デバイスを移動無線通信ネットワークのネットワークスライスインスタンスに関連付ける方法、
を、１つ又は複数のプロセッサによって実行するための複数の命令、
を記憶した、コンピュータ可読媒体。
【請求項９】
ネットワークスライスへの接続に対する要求を受信するように構成されている受信機と、
移動無線端末デバイスをネットワークスライスインスタンスに関連付けるための関連付け指示情報を表す少なくとも１つの情報パラメータであって、前記移動無線端末デバイスに割り当てられる当該少なくとも１つの情報パラメータを記憶するメモリと、
前記移動無線端末デバイスに割り当てられ記憶された前記関連付け指示情報に基づいて、前記移動無線端末デバイスへの前記ネットワークスライスインスタンスの早期束縛又は遅延束縛を動的に実施するタイミングで、複数のネットワークスライスインスタンスのセットのうち一のネットワークスライスインスタンスに、前記移動無線端末デバイスを関連付けるように構成されている１つ又は複数のプロセッサと、
を備える、移動無線通信ネットワーク。
【請求項１０】
前記１つ又は複数のプロセッサが、移動無線通信コアネットワークにおける１つ又は複数のプロセッサである、
請求項９に記載の移動無線通信ネットワーク。
【請求項１１】
前記１つ又は複数のプロセッサは、
前記移動無線端末デバイスを特定のネットワークスライスインスタンスに関連付けるために、ネットワークスライスを選択するための移動無線通信ネットワークオペレータのポリシを実施する処理、を実行するように構成されている、
請求項９又は１０に記載の移動無線通信ネットワーク。
【請求項１２】
前記移動無線通信ネットワークオペレータのポリシを実施する処理は、前記移動無線通信ネットワークにおけるポリシ制御機能によって実施される、
請求項１１に記載の移動無線通信ネットワーク。
【請求項１３】
前記移動無線通信ネットワークオペレータのポリシを実施する処理は、前記移動無線通信ネットワークにおけるネットワークスライス選択機能によって実施される、
請求項１１に記載の移動無線通信ネットワーク。
【請求項１４】
前記移動無線通信ネットワークオペレータのポリシを実施する処理は、前記移動無線通信ネットワークにおけるアクセス及びモビリティ管理機能によって実施される、
請求項１１に記載の移動無線通信ネットワーク。
【請求項１５】
前記関連付け指示情報は、前記関連付けが前記移動無線端末デバイスの登録プロセス中に実施されるべきか、又は、プロトコルデータユニットセッション確立中に実施されるべきかを示す、
請求項９〜１４のいずれか一項に記載の移動無線通信ネットワーク。
【発明の詳細な説明】
【技術分野】
【０００１】
本開示は、通信移動無線通信ネットワーク及び移動無線端末デバイスを移動無線通信ネットワークのネットワークスライスインスタンスに関連付ける方法に関する。
【背景技術】
【０００２】
移動無線通信ネットワークのコアネットワークにおいては、例えば、複数の異なるユーザクラス（例えば、通常及びプレミアムユーザ）をサポートするために、又は、負荷平衡のために（すなわち、単一のネットワークスライスに対する過負荷を回避するために）複数のコアネットワークスライスインスタンスを有することが望ましい場合がある。複数のネットワークスライスインスタンスが同じ顧客（例えば、通信サービス提供者、例えば、ビデオストリームサービス）に与えられる場合があり、それゆえ、同じスライスサービスタイプ（ＳＳＴ）、例えば、ｅＭＢＢ（モバイルブロードバンド）、及び、同じスライスディファレンシエータ（Ｓｌｉｃｅ  Ｄｉｆｆｅｒｅｎｔｉａｔｏｒ）（ＳＤ）、例えば、顧客の識別情報、例えば、企業の名称又は識別情報を用いて構成される場合がある。顧客との合意に起因して、例えば、サービスに特定の製造業者からの構成要素が与えられることを顧客が要求しているという事実に起因して、特定のＵＥ（ユーザ機器）に対して特定のネットワークスライスインスタンスが必要とされるということも起こり得る。何らかの時点において、通信を確立するＵＥは、ネットワークスライスインスタンスと関連付けられる必要がある、すなわち、ＵＥに対して、ネットワークスライスインスタンスの束縛、又は、代替的に、ネットワークスライスインスタンス内の１つ又は複数のネットワーク機能（複数可）の束縛が存在する必要がある。この束縛、すなわち、（コア）ネットワークスライスインスタンスのＵＥとの関連付けのための効率的な手法が望ましい。
【発明の概要】
【０００３】
一実施形態によれば、移動無線端末デバイスを移動無線通信ネットワークのネットワークスライスインスタンスに関連付ける方法が提供され、当該方法は、移動無線端末デバイスから、ネットワークスライスインスタンスに対する要求を受信するステップと、要求している移動無線端末デバイスに割り当てられる関連付け情報パラメータに基づくタイミングで、移動無線端末デバイスをネットワークスライスインスタンスに関連付けるステップと、を含む。
【０００４】
さらなる実施形態によれば、移動無線端末デバイスを移動無線通信ネットワークのネットワークスライスインスタンスに関連付ける上記方法に対応する、コンピュータ可読媒体及び移動無線通信ネットワークが提供される。
【０００５】
図面において、同様の参照符号は、概して異なる複数の図全体を通じて同じ部分を参照する。図面は、必ずしも原寸に比例してはおらず、むしろ、概して本発明の原理を説明していることが強調されるものである。以下の説明において、様々な態様を、添付の図面を参照して説明する。
【図面の簡単な説明】
【０００６】
【図１】無線通信システムを示す図である。
【図２】ネットワークスライスインスタンスの早期束縛を含む登録手順を示す図である。
【図３】ネットワークスライスインスタンスの遅延束縛を含むＰＤＵ（パケットデータユニット）セッション確立手順を示す図である。
【図４】ＵＤＭ（ユーザデータ管理機能）による早期束縛対遅延束縛の決定を示す流れ図である。
【図５】ＡＭＦ（アクセス及びモビリティ管理機能）による早期束縛対遅延束縛の決定を示す流れ図である。
【図６】ＮＳＳＦによる早期束縛対遅延束縛の決定を示す流れ図である。
【図７】移動無線端末デバイスを移動無線通信ネットワークのネットワークスライスインスタンスに関連付ける方法を示す流れ図である。
【図８】一実施形態による移動無線通信ネットワークを示す図である。
【図９】ローミングシナリオを示す流れ図である。
【発明を実施するための形態】
【０００７】
以下の詳細な説明は、例示として、本発明を実践することができる本開示の特定の詳細及び態様を示す、添付の図面を参照する。他の態様を利用することができ、本発明の範囲から逸脱することなく、構造的、論理的及び電気的な変更をなすことができる。本開示のいくつかの態様は新たな態様を形成するために本開示の１つ又は複数の他の態様と組み合わされてもよいため、本開示の様々な態様は、必ずしも相互に排他的ではない。
【０００８】
図１は、無線通信システム１００を示す。
【０００９】
無線通信システム１００は、ＵＥ（ユーザ機器）、ナノ機器（ｎａｎｏ  ｅｑｕｉｐｍｅｎｔ）（ＮＥ）などのような移動無線端末デバイス１０２を含む。移動無線端末デバイス１０２は、端末側を形成し、一方で、以下に記載される無線通信システム１００の他の構成要素は、移動無線通信ネットワーク側の一部分、すなわち、移動無線通信ネットワークの一部分である。
【００１０】
さらに、無線通信システム１００は、無線アクセスネットワーク１０３を含み、無線アクセスネットワーク１０３は、複数の無線アクセスネットワークノード、すなわち、５Ｇ（第５世代）無線アクセス技術（５Ｇ  Ｎｅｗ  Ｒａｄｉｏ）に従って無線アクセスを与えるように構成されている基地局を含んでもよい。無線通信システム１００はまた、ＬＴＥ（ロングタームエボリューション）又は別の移動無線通信規格に従って構成されてもよいが、本明細書においては５Ｇが一例として使用されることに留意されたい。各無線アクセスネットワークノードは、エアインターフェース１０２ａを介した無線通信端末デバイス１０２との無線通信を可能にすることができる。無線アクセスネットワーク１０３は、任意の数の無線アクセスネットワークノードを含んでもよいことに留意されたい。
【００１１】
無線通信システム１００は、ＲＡＮ１０３に接続されているアクセス及びモビリティ管理機能（ＡＭＦ）１０１と、統合データ管理部（ＵＤＭ）１０４と、ネットワークスライス選択機能（ＮＳＳＦ）１０５とを含むコアネットワークをさらに含む。
【００１２】
コアネットワークは、複数のネットワークスライス１０６、１０７を有することができ、各ネットワークスライス１０６、１０７について、オペレータは、複数のネットワークスライスインスタンス（ＮＳＩ）１０８、１０９を作成することができる。この実施例において、コアネットワークは、高度モバイルブロードバンド（ｅＭＢＢ）を提供するための３つのコアネットワークスライスインスタンス（ＮＳＩ）１０８を有する第１のコアネットワークスライス１０６と、ビークルツーエブリシング（Ｖ２Ｘ）を提供するための３つのコアネットワークスライスインスタンス（ＮＳＩ）１０９を有する第２のコアネットワークスライス１０７とを含む。
【００１３】
一般的に、ネットワークスライスが展開されると、ネットワーク機能（ＮＦ）がインスタンス化され、又は、（すでにインスタンス化されている場合は）ネットワークスライスインスタンス識別情報を用いて構成されているネットワークスライスインスタンスに属するネットワークスライスインスタンス（ＮＳＩ）及びネットワーク機能を形成するために参照される。
【００１４】
具体的には、この実施例において、第１のコアネットワーク１０６の各インスタンス１０８は、第１のセッション管理機能（ＳＭＦ）１１０及び第１のユーザプレーン機能（ＵＰＦ）１１１を含み、第２のコアネットワークスライスインスタンス１０７の各インスタンス１０９は、第２のセッション管理機能（ＳＭＦ）１１２及び第２のユーザプレーン機能（ＵＰＦ）１１３を含む。
【００１５】
第１のＳＭＦ１１０及び第２のＳＭＦ１１２は同じ名称で参照されているが、第１のＳＭＦ１１０及び第２のＳＭＦ１１２によって供給される機能性及びサービスが異なり得ることも可能である。
【００１６】
図１においては、コアネットワークにおけるＵＥ１０２の登録のためのメッセージフローがさらに示されている。
【００１７】
ＵＥ１０２は、ｅＭＢＢとＶ２Ｘの両方のサービスに加入することを意図していると仮定される。１１４において、ＵＥ１０２が、ＡＭＦ１０１に登録要求を送信する。１１５において、ＡＭＦ１０１が、ＵＤＭ１０４を用いてＵＥの加入をチェックする。１１６において、ＡＭＦ１０１が、ＮＳＳＦ１０５にスライス選択要求を送信する。スライス選択要求は、ＵＥ１０２が、ｅＭＢＢとＶ２Ｘの両方に加入することを意図していることを示す。
【００１８】
しかしながら、ＵＥ１０２が位置する領域には、各スライスタイプの複数のＮＳＩが存在し得る。この実施例では、１１７において、ＮＳＳＦ１０５が、認可スライス１０８、１０９のリスト、及び、ＵＥ１０２に対する認可スライスと関連付けられる（束縛される）べきそれぞれのＮＳＩの指示、すなわち、各認可スライスについて、認可スライスのいずれのインスタンスがＵＥ１０２にサービス供給すべきかの指示を送信する。この実施例において、ＮＳＳＦは、ｅＭＢＢ−ＮＳＩ＃１及びＶ２Ｘ−ＮＳＩ＃２をＵＥ１０２と関連付けると仮定される。
【００１９】
１１８において、ＡＭＦ１０１は、ＵＥ１０２に対する認可スライス１０８、１０９のリスト、及び、ＵＥ１０２に対する認可スライスと関連付けられるべきそれぞれのＮＳＩの指示を記憶する。
【００２０】
１１９において、１１４の登録要求に応答して、ＡＭＦ１０１はＵＥ１０２に認可スライス１０８、１０９のリストを送信する、すなわち、ＵＥ１０２に、ＵＥの位置においていずれのネットワークスライスがＵＥに対して認可されるかを示す。
【００２１】
図１に示すメッセージフローによって示される手順は、早期ＮＳＩ束縛、すなわち、登録手順中の、各認可スライスと、ＵＥに対するスライスの対応するＮＳＩとの関連付けを示す。束縛とは、コアネットワークスライスインスタンスの、ＵＥに対する（すなわち、ＵＥに対する効果を有する）コアネットワークスライスに対する関連付け、又は、同等に、ＵＥのコアネットワークスライスインスタンスとの関連付けとして理解することができる。
【００２２】
代替的に、移動無線通信ネットワークは、遅延ＮＳＩ束縛を使用してもよい。遅延束縛とは、登録手順後の、すなわち、ＵＥの登録後、例えば、ＰＤＵ（パケットデータユニット）セッション確立中の、各認可スライスとＵＥに対するスライスの対応するＮＳＩとの関連付けを指す。
【００２３】
通信システムは、早期ＮＳＩ束縛と遅延ＮＳＩ束縛の両方をサポートするように実施されてもよいことに留意されたい。例えば、ネットワークスライスタイプ又はオペレータのポリシに応じて、両方の束縛タイプが選択可能である必要があり得る。
【００２４】
早期ＮＳＩ束縛は、ＰＤＵセッション確立の前であっても、要求されるスライスタイプのＮＳＩがすでに関連付けられており、したがって、ＰＤＵセッションが要求される場合にそのような関連付けを実現するために必要な時間が節約されるため、ＰＤＵセッション確立のための時間を低減することを可能にする。さらに、特定のスライスタイプ（例えば、超低待ち時間サービスを提供すること）について、早期ＮＳＩ束縛は有用であり得る。しかしながら、関連付けのライフサイクル又は他の運営／展開上の理由に起因してＮＳＩとネットワークスライスとの間の関連付けに変化がある場合、そのような関連付けの保守管理は最新状態に保たれる必要がある。
【００２５】
遅延ＮＳＩ束縛はＮＳＩとネットワークスライスとの関連付けを最新状態に保つことを必要としないが、例えば、遅延ＮＳＩ束縛はＰＤＵセッション確立中にＮＳＩ選択メカニズムを必要とするため、一般的に、ＰＤＵセッション確立のための時間の増大をもたらす。
【００２６】
様々な実施形態によれば、それに基づいてＵＥ（加入者）に対して認可される各ネットワークスライスの早期又は遅延ＮＳＩ束縛が実施される情報を提供することを可能にするメカニズムが提供される。
【００２７】
例えば、あるネットワークスライスについて、そのネットワークスライスに対して早期ＮＳＩ束縛が実施されるべきか否かを指示するパラメータ“ｅａｒｌｙ  ＮＳＩ  ｂｉｎｄｉｎｇ  ｉｎｄｉｃａｔｉｏｎ”（早期ＮＳＩ束縛指示）が導入され得る。早期ＮＳＩ束縛が実施されるべきか、又は、遅延ＮＳＩ束縛が実施されるべきかを決定するネットワーク機能は、早期ＮＳＩ束縛を有するべきか否かの決定を行うためにネットワーク機能（例えば、ＡＭＦ又はＮＳＳＦ）において利用可能なオペレータのポリシを考慮に入れることができる。
【００２８】
図２及び図３は、通信システム２００、３００の異なるネットワークスライスに対する異なる束縛タイプ（早期束縛及び遅延束縛）の適用を示す。
【００２９】
図１の通信システム１００と同様に、図２及び図３の通信システム２００、３００は、ＵＥ２０２、３０２、ＲＡＮ２０３、３０３、ＡＭＦ２０１、３０１、ＵＤＭ２０４、３０４及びＮＳＳＦ２０５、３０５を含む。
【００３０】
さらに、通信システム１００と同様に、コアネットワークは、第１の（コア）ネットワークスライスインスタンス２０６、３０６（識別情報ＮＳＩ＃１）を有する第１の（コア）ネットワークスライス、及び、第２の（コア）ネットワークスライスインスタンス２０７、３０７（識別情報ＮＳＩ＃２）を有する第２の（コア）ネットワークスライスを含む。第１のネットワークスライスインスタンス２０６、３０６は第１のＳＭＦ２０８、３０８及び第１のＵＰＦ２０９、３０９を含み、第２のネットワークスライスインスタンス２０７、３０７は第２のＳＭＦ２１０、３１０及び第２のＵＰＦ２１１、３１１を含む。
【００３１】
図２は、第１のネットワークスライスインスタンス２０６の早期束縛を含む登録手順を示す。
【００３２】
２１２において、ＵＥ２０２が、ＡＭＦ２０１に登録要求を送信する。登録要求は、要求されるＳ−ＮＳＳＡＩを含む。
【００３３】
Ｓ−ＮＳＳＡＩ（単一ネットワークスライス選択支援情報）は、ネットワークスライスを特定し、
機構及びサービスに関して予測されるネットワークスライス挙動を参照するスライス／サービスタイプ（ＳＳＴ）、
同じスライス／サービスタイプの複数のネットワークスライスの間で区別するためにスライス／サービスタイプ（複数可）を補完する任意選択の情報であるスライスディファレンシエータ（ＳＤ）から構成される。
【００３４】
認可されているＮＳＳＡＩは、例えば、登録手順の間にサービス供給しているＰＬＭＮ（地上波公共移動通信ネットワーク）によってもたらされるＮＳＳＡＩであり、これは、現在の登録領域においてサービス供給しているＰＬＭＮにおいてＵＥに対してネットワークによって認可されるＮＳＳＡＩを示す。
【００３５】
構成されているＮＳＳＡＩは、ＵＥにおいて設定されているＮＳＳＡＩである。
【００３６】
要求されているＮＳＳＡＩは、ＵＥがネットワークに提供することができるＮＳＳＡＩである。要求されているＮＳＳＡＩは、構成されているＮＳＳＡＩ又は認可されているＮＳＳＡＩの部分集合又は集合全体であり得る。
【００３７】
加入されているＳ−ＮＳＳＡＩは、ＵＥがＰＬＭＮにおいて使用するために加入されている、加入者情報に基づくＳ−ＮＳＳＡＩである。
【００３８】
２１３において、ＡＭＦ２０１が、ＵＤＭ２０４を用いてＵＥの加入をチェックする。
【００３９】
２１４において、ＡＭＦ２０１及びＮＳＳＦ２０５が、（例えば、図１を参照して説明されているような）ネットワークスライス選択に関するメッセージを交換する。この実施例において、ネットワークスライスインスタンス２０６、２０７がＵＥ２０２に割り当てられるべきであり、早期束縛が第１のネットワークスライスインスタンス２０６に対して実施されるべきであり、遅延束縛が第２のネットワークスライスインスタンス２０７に対して実施されるべきであると決定されると仮定される。決定は、例えば、コアネットワークスライスインスタンスの異なるサービスタイプ及び／又はオペレータのポリシに基づくことができる。
【００４０】
したがって、２１５において、この段階で、第１のネットワークスライスインスタンス２０６はＵＥ２０２に束縛され（すなわち、ＵＥ２０２の第１のコアネットワークスライスインスタンスに束縛され）、一方で、第２のネットワークスライスインスタンス２０７はＵＥ２０２に束縛されない。
【００４１】
２１６において、ＡＭＦ２０１は、ＵＥ２０２に対して認可されているネットワークスライスのＮＳＳＡＩ（例えば、Ｓ−ＮＳＳＡＩ＃１及びＳ−ＮＳＳＡＩ＃２）を含む登録許可を、ＵＥ２０２に送信する。
【００４２】
後の段階において、ＵＥ２０２は第２のコアネットワークスライス（ＮＳＳＡＩ＃２）に対するＰＤＵセッション要求を送信すると仮定される。
【００４３】
図３は、第２のネットワークスライスインスタンス３０７の遅延束縛を含むＰＤＵセッション確立手順を示す。
【００４４】
第２のコアネットワークスライスインスタンス３０７に対して遅延束縛を実施すると決定されているため、第２のコアネットワークスライスインスタンス３０７は、３１７において、ＰＤＵセッション確立の過程において第２のコアネットワークスライスに束縛される。
【００４５】
３１２において、ＵＥ３０２は、第２のコアネットワークスライス３０７に対するＰＤＵセッション確立要求を、ＡＭＦ３０１に送信する。より詳細には、このプロセスは以下のとおりである。すなわち、ＵＥ３０２はＳ−ＮＳＳＡＩ＃２に対する要求を送信し、ネットワーク（言い換えれば、コアネットワーク）は、Ｓ−ＮＳＳＡＩ＃２をＮＳＩ＃２に束縛する。したがって、ＵＥ３０２はいずれのＮＳＩがＵＥ３０２に関連付けられるかを知らないことになることに留意されたい。
【００４６】
３１３において、ＡＭＦ３０１は、ＮＳＳＦ３０５から、又は代替的に、ＰＬＭＮ  ＮＲＦ（地上波公共移動通信ネットワーク・ネットワークリポジトリ機能）から、ＮＳＩ選択情報を取得する。３１４において、ＡＭＦ３０１は、スライス固有のＮＲＦ又は複数のＮＳＩ３１７にわたって共有されるＮＲＦによって、スライス固有ネットワーク機能（ＮＦ）発見を実施する。ＮＳＳＦ３０５が認可Ｓ−ＮＳＳＡＩのＮＳＩを決定しておらず、ＮＲＦを選択している場合（スライス固有のＮＲＦが展開される場合）、ＡＭＦ３０１は、ＮＳＳＦ３０５と通信して、要求されているＮＳＳＡＩのＮＳＩ、及びまた、ＮＳＩにとって利用可能である場合はスライス固有の／共有されるＮＲＦ情報をも得、又は、代替的に、ＡＭＦ３０１は、ＰＬＭＮ  ＮＲＦと通信して、要求されているＮＳＳＡＩのＮＳＩ、及びまた、スライス固有の／共有されるＮＲＦ情報をも得る。
【００４７】
３１５において、第２のコアネットワークスライスインスタンス３０７の、ＵＥ３０２に対する（すなわち、ＵＥ３０２に対して効果を有する）第２のコアネットワークスライスへの束縛、又は、言い換えれば、第２のコアネットワークスライスインスタンス３０７の束縛（又は関連付け）若しくは第２のコアネットワークスライスインスタンス３０７内のネットワーク機能（例えば、ＳＭＦ３１０及びＵＰＦ３１１）のＵＥ３０２への束縛が実施される。この束縛は、登録手順が完了した後に行われるため、この束縛は遅延束縛と考えることができる。
【００４８】
３１６において、ＡＭＦ３０１が、ＵＥ３０２にＰＤＵセッション確立許可メッセージを送信する。
【００４９】
したがって、一実施形態によれば、ＡＭＦ２０１、３０１又はＮＳＳＦ２０５、３０５は、ＵＥ２０２、３０２に対して許可される１つ又は複数のＮＳＳＡＩのＳ−ＮＳＳＡＩ（複数可）を、例えばオペレータのポリシに基づいてコアネットワークスライスインスタンスに束縛し、例えば、登録手順において第１のインスタンス２０６、３０６（ＮＳＩ＃１）を束縛し、ＰＤＵセッション確立中に第２のインスタンス２０７、３０７（ＮＳＩ＃２）を束縛する。
【００５０】
コアネットワークスライスの早期束縛を実施するか又は遅延束縛を実施するかの決定（すなわち、早期束縛対遅延束縛の決定）は、アーキテクチャ内の様々な構成要素によって行うことができる。
【００５１】
ＵＤＭ２０４、３０４において、早期又は遅延ＮＳＩ束縛は、各加入されているＳ−ＮＳＳＡＩにマッピングされるＵＥの加入データの一部分として含まれ得る。
【００５２】
ＵＤＭ２０４、３０４は、この加入者データをＡＭＦ２０１、３０１及び／又はＮＳＳＦ２０５、３０５（例えばＡＭＦ２０１、３０１を介して）に提供する。
【００５３】
ＡＭＦ２０１、３０１において、特定のＳ−ＮＳＳＡＩが特定のＵＥにサービス供給するために、早期ＮＳＩ束縛が実施されるべきか、又は、遅延ＮＳＩ束縛が実施されるべきかを指定するローカルポリシが構成され得る。
【００５４】
そのような構成は、場合によってはＯＡＭ（運用、管理及び保守）によって行われてもよい。
【００５５】
ＮＳＳＦ２０５、３０５において、特定のＳ−ＮＳＳＡＩが特定のＵＥにサービス供給するために、早期ＮＳＩ束縛が実施されるべきか、又は、遅延ＮＳＩ束縛が実施されるべきかを指定するローカルポリシが構成され得る。
【００５６】
そのような構成は、場合によってはＯＡＭ（運用、管理及び保守）によって行われてもよい。
【００５７】
ＰＣＦ（ポリシ制御機能）において、早期又は遅延ＮＳＩ束縛は、各加入されているＳ−ＮＳＳＡＩにマッピングされるポリシ情報の一部分として含まれ得る。
【００５８】
ＰＣＦは、このポリシ情報を、ＡＭＦ２０１、３０１又はＮＳＳＦ２０５、３０５のいずれかに提供する。
【００５９】
図４は、ＵＤＭによる早期束縛対遅延束縛の決定を示す流れ図４００を示す。
【００６０】
メッセージフロー４００は、ＵＥ４０１、ＲＡＮ４０２、ＡＭＦ４０３、ＵＤＭ４０４、第１のネットワークスライスインスタンス４０５及び第２のネットワークスライスインスタンス４０６の間で行われる。
【００６１】
早期束縛は第１のネットワークスライスインスタンス４０５に対して適用されるものであり、遅延束縛は第２のネットワークスライスインスタンス４０６に対して適用されるものであると仮定される。
【００６２】
４０７において、ＵＥ４０１が、ＡＭＦ４０３に登録要求を送信する。この実施例において、ＵＥ４０１は、識別情報Ｓ−ＮＳＳＡＩ＃１、Ｓ−ＮＳＳＡＩ＃２及びＳ−ＮＳＳＡＩ＃３を有する３つのネットワークスライスに関する登録を要求する。
【００６３】
４０８において、ＡＭＦ４０３は、ＵＤＭ４０４に加入コンテキスト要求を送信し、ＵＤＭ４０４は４０９において、加入コンテキスト応答によって応答する。
【００６４】
ＵＤＭ４０４は、早期束縛が第１のネットワークスライスインスタンス４０５に対して実施されるべきであり、遅延束縛が第２のネットワークスライスインスタンス４０６に対して実施されるべきであると決定すると仮定される。ＵＤＭ４０４は、この決定の結果を、加入コンテキスト応答に含める。
【００６５】
４１０において、ＡＭＦ４０３は、この実施例においてはＳ−ＮＳＳＡＩ＃１及びＳ−ＮＳＳＡＩ＃２である、ＵＥに対する認可ネットワークスライスのリストを作成する。
【００６６】
４１１において、ＡＭＦ４０３は、ネットワークスライスＳ−ＮＳＳＡＩ＃１のＮＳＩの可用性をチェックし（第１のネットワークスライスインスタンス４０５が利用可能であると仮定される）、４１２において、ＵＥ４０１に対して第１のネットワークスライスインスタンス４０５を束縛する、すなわち、ＡＭＦ４０３がＳ−ＮＳＳＡＩ＃１に対してＮＳＩ＃１を束縛する。この束縛は、特定のＳＭＦの選択を含んでもよい。
【００６７】
４１３において、ＡＭＦ４０３は、認可ＮＳＳＡＩ（例えば、Ｓ−ＮＳＳＡＩ＃１及びＳ−ＮＳＳＡＩ＃２）のリストを含む登録許可を、ＵＥ４０１に送信する。
【００６８】
後の段階で、４１４において、ＵＥ４０１が、Ｓ−ＮＳＳＡＩ＃２に対するＰＤＵセッション確立要求を、ＡＭＦ４０３に送信する。
【００６９】
４１５及び４１６において、ＡＭＦ４０３が、ＮＲＦによって、ＮＦ発見手順を実施する。結果として、第２のネットワークスライスインスタンス４０６が、ＵＥ４０１に束縛される（遅延束縛）。
【００７０】
４１７において、ＡＭＦ４０３は、第２のコアネットワークスライス４０６と、ＰＤＵセッション確立要求及び応答を交換する。
【００７１】
４１８において、ＡＭＦ４０３が、ＵＥ４０１にＰＤＵセッション確立許可メッセージを送信する。
【００７２】
例えば、ＵＤＭ４０４に記憶されているＵＥの加入プロファイルは、早期ＮＳＩ束縛が要求されるか又は遅延ＮＳＩ束縛が可能であるかの情報を含む。そのような情報は、例えば、以下によって実現することができる。
各加入されているＳ−ＮＳＳＡＩのＮＳＩ束縛のタイプの指定、例えば、Ｓ−ＮＳＳＡＩ−Ｂｉｎｄｉｎｇ−Ｔｙｐｅ＝“Ｅａｒｌｙ  Ｂｉｎｄｉｎｇ”若しくは“Ｌａｔｅ  Ｂｉｎｄｉｎｇ”、又は、
各加入されているＳ−ＮＳＳＡＩについての早期ＮＳＩ束縛を実施すべきか否かの指示、例えば、Ｓ−ＮＳＳＡＩ−Ｅａｒｌｙ−ＮＳＩ−Ｂｉｎｄｉｎｇ＝“Ｔｒｕｅ”ｏｒ“Ｆａｌｓｅ”
【００７３】
４１５及び４１６に関与するＮＲＦは、ＰＬＭＮ  ＮＲＦ、又は、複数のネットワークスライスにわたって共有されるＮＲＦであってもよいことに留意されたい。ＰＬＭＮ  ＮＲＦの場合、このＰＬＭＮ  ＮＲＦは、スライス固有のＮＲＦの情報を提供する。したがって、ＡＭＦ４０３は、特定のスライス（すなわち、上記の実施例においてはＳ−ＮＳＳＡＩ＃２）のＳＭＦを発見することができる。
【００７４】
図５は、ＡＭＦによる早期束縛対遅延束縛の決定を示す流れ図５００を示す。
【００７５】
図４と同様に、メッセージフロー５００は、ＵＥ５０１、ＲＡＮ５０２、ＡＭＦ５０３、ＵＤＭ５０４、第１のネットワークスライスインスタンス５０５及び第２のネットワークスライスインスタンス５０６の間で行われる。さらに、このメッセージフローにはＰＣＦ５１３が関与し得る。
【００７６】
早期束縛は第１のネットワークスライスインスタンス５０５に対して適用されるものであり、遅延束縛は第２のネットワークスライスインスタンス５０６に対して適用されるものであると仮定される。
【００７７】
５０７において、ＵＥ５０１が、ＡＭＦ５０３に登録要求を送信する。この実施例において、ＵＥ５０１は、識別情報Ｓ−ＮＳＳＡＩ＃１、Ｓ−ＮＳＳＡＩ＃２及びＳ−ＮＳＳＡＩ＃３を有する３つのネットワークスライスに関する登録を要求する。
【００７８】
５０８において、ＡＭＦ５０３は、ＵＤＭ５０４に加入コンテキスト要求を送信し、ＵＤＭ５０４は５０９において、加入コンテキスト応答によって応答する。
【００７９】
５１０において、要求又は加入されているＮＳＳＡＩに基づいて、ＡＭＦ５０３は、ＡＭＦ５０３が要求及び加入されているＳ−ＮＳＳＡＩの複合セットにサービス供給することができるか否かを決定する。そうでない場合、ＡＭＦ５０３は、ＮＳＳＦに要求を送信する（図６の実施例を参照されたい）。この実施例において、ＡＭＦ５０３は、Ｓ−ＮＳＳＡＩにサービス供給することができると仮定される。
【００８０】
５１１において、第１の選択肢として、ＡＭＦ５０３は、例えば、早期束縛が必要とされる又は必要とされない公衆安全スライスなど、早期又は遅延ＮＳＩ束縛を必要とするスライスにサービス供給しているかを決定する。ＡＭＦ５０３は、その（ローカル）構成に基づいてこの決定を行うことができる、すなわち、ＡＭＦ５０３において、いずれのコアネットワークスライスが早期ＮＳＩ束縛を必要とするか、及び、いずれのコアネットワークスライスが遅延ＮＳＩ束縛を必要とするかを構成することができる。
【００８１】
５１２において、第２の選択肢として、例えば、第１の選択肢が利用可能でない場合、ＡＭＦ５０３は、ＰＣＦ５１３からポリシを要求し、ＰＣＦ５１３は５１４においてポリシ要求に応答する。応答は、いずれのコアネットワークスライスが早期ＮＳＩ束縛を必要とするか、及び、いずれのコアネットワークスライスが遅延ＮＳＩ束縛を必要とするかを指定する。
【００８２】
５１５において、ＡＭＦ５０３は、第１のネットワークスライスインスタンス５０５をＵＥ５０１に対して束縛する、すなわち、ＡＭＦ５０３はＮＳＩ＃１をＳ−ＮＳＳＡＩ＃１に対して束縛する。この束縛は、特定のＳＭＦの選択を含んでもよい。
【００８３】
５１６において、ＡＭＦ５０３は、認可ＮＳＳＡＩ（すなわち、Ｓ−ＮＳＳＡＩ＃１及びＳ−ＮＳＳＡＩ＃２）のリストを含む登録許可を、ＵＥ５０１に送信する。
【００８４】
後の段階で、５１７において、ＵＥ５０１が、ＰＤＵセッション確立要求を、ＡＭＦ５０３に送信する。
【００８５】
５１８及び５１９において、ＡＭＦ５０３が、ＮＲＦによって、ＮＦ発見手順を実施する。結果として、第２のネットワークスライスインスタンス５０６が、ＵＥ５０１に束縛される（遅延束縛）。
【００８６】
５２０において、ＡＭＦ５０３は、第２のコアネットワークスライス５０６と、ＰＤＵセッション確立要求及び応答を交換する。
【００８７】
５２１において、ＡＭＦ５０３が、ＵＥ５０１にＰＤＵセッション確立許可メッセージを送信する。
【００８８】
５１８及び５１９に関与するＮＲＦは、ＰＬＭＮ  ＮＲＦ、又は、複数のネットワークスライスにわたって共有されるＮＲＦであってもよいことに留意されたい。ＰＬＭＮ  ＮＲＦの場合、このＰＬＭＮ  ＮＲＦは、スライス固有のＮＲＦの情報又は共有されるＮＲＦの情報を提供する。したがって、ＡＭＦ５０３は、特定のスライス（すなわち、上記の実施例においてはＳ−ＮＳＳＡＩ＃２）のＳＭＦを発見することができる。
【００８９】
図６は、ＮＳＳＦによる早期束縛対遅延束縛の決定を示す流れ図６００を示す。
【００９０】
図４と同様に、メッセージフロー６００は、ＵＥ６０１、ＲＡＮ６０２、ＡＭＦ６０３、ＵＤＭ６０４、第１のネットワークスライスインスタンス６０５及び第２のネットワークスライスインスタンス６０６の間で行われる。さらに、ＮＳＳＦ６１１、第２のＡＭＦ６１８、及び、場合によってはまたＰＣＦ６１４が、メッセージフローに関与する。
【００９１】
早期束縛は第１のネットワークスライスインスタンス６０５に対して適用されるものであり、遅延束縛は第２のネットワークスライスインスタンス６０６に対して適用されるものであると仮定される。
【００９２】
６０７において、ＵＥ６０１が、ＡＭＦ６０３に登録要求を送信する。この実施例において、ＵＥ６０１は、識別情報Ｓ−ＮＳＳＡＩ＃１、Ｓ−ＮＳＳＡＩ＃２及びＳ−ＮＳＳＡＩ＃３を有する３つのネットワークスライスに関する登録を要求する。
【００９３】
６０８において、ＡＭＦ６０３は、ＵＤＭ６０４に加入コンテキスト要求を送信し、ＵＤＭ６０４は６０９において、加入コンテキスト応答によって応答する。
【００９４】
６１０において、ＡＭＦ６０３が、ＮＳＳＦ６１１にスライス選択要求を送信する。
【００９５】
６１２において、第１の選択肢として、要求されているＮＳＳＡＩ及び加入されているＮＳＳＡＩ並びに場合によっては他のパラメータに基づいて、ＮＳＳＦ６１１が認可ＮＳＳＡＩのリストを作成する。加えて、ＮＳＳＦ６１１は、早期ＮＳＩ束縛又は遅延ＮＳＩ束縛の、認可ＮＳＳＡＩに対するマッピングを実施する。ＮＳＳＦ６１１において、第２のＡＭＦ６１８によってサポートされるいずれのコアネットワークスライスが早期ＮＳＩ束縛を必要とし、いずれが遅延ＮＳＩ束縛を必要とするかを設定することができる。
【００９６】
６１３において、第２の選択肢として、例えば、第１の選択肢が利用可能でない場合、ＮＳＳＦ６１１は、ＰＣＦ６１４からポリシを要求し、ＰＣＦ６１４は６１５においてポリシ要求に応答する。応答は、いずれのコアネットワークスライスが早期ＮＳＩ束縛を必要とするか、及び、いずれのコアネットワークスライスが遅延ＮＳＩ束縛を必要とするかを指定する。
【００９７】
６１６において、ＮＳＳＦ６１１は、ＡＭＦ６０３にスライス選択応答を送信し、スライス選択応答は、認可ＮＳＳＡＩのリスト、第２のＡＭＦの設定情報、又は、第２のＡＭＦ６１８の情報、及び、認可ＮＳＳＡＩの各々についての、早期束縛が実施されるべきか又は遅延束縛が実施されるべきか、を含む。任意のＳ−ＮＳＳＡＩに早期束縛が必要とされる場合、ＮＳＳＦ６１１は、（６１６において）スライス固有のＮＲＦ、又は、早期束縛するＳ−ＮＳＳＡＩの共有ＮＲＦ情報を含み得る。
【００９８】
６１７において、第２のＡＭＦ６１８へのリダイレクトが実施される。
【００９９】
６１９において、第２のＡＭＦ６１８は、第１のネットワークスライスインスタンス６０５をＵＥ６０１に対して束縛する、すなわち、ＡＭＦ６１８はＮＳＩ＃１をＳ−ＮＳＳＡＩ＃１に対して束縛する。この束縛は、特定のＳＭＦの選択を含んでもよい。
【０１００】
６２０において、第２のＡＭＦ６１８は、認可ＮＳＳＡＩ（すなわち、Ｓ−ＮＳＳＡＩ＃１及びＳ−ＮＳＳＡＩ＃２）のリストを含む登録許可を、ＵＥ６０１に送信する。
【０１０１】
後の段階で、６２１において、ＵＥ６０１が、Ｓ−ＮＳＳＡＩ＃２に対するＰＤＵセッション確立要求を、第２のＡＭＦ６１８に送信する。
【０１０２】
６２２及び６２３において、第２のＡＭＦ６１８が、ＮＲＦによって、ＮＦ発見手順を実施する。結果として、第２のネットワークスライスインスタンス６０６が、ＵＥ６０１に束縛される（遅延束縛）。
【０１０３】
６２４において、第２のＡＭＦ６１８は、第２のコアネットワークスライス６０６と、ＰＤＵセッション確立要求及び応答を交換する。
【０１０４】
６２５において、第２のＡＭＦ６１８が、ＵＥ６０１にＰＤＵセッション確立許可メッセージを送信する。
【０１０５】
６２２及び６２３に関与するＮＲＦは、ＰＬＭＮ  ＮＲＦ、又は、複数のネットワークスライスにわたって共有されるＮＲＦであってもよいことに留意されたい。ＰＬＭＮ  ＮＲＦの場合、このＰＬＭＮ  ＮＲＦは、スライス固有のＮＲＦの情報又は共有されるＮＲＦの情報を提供する。したがって、第２のＡＭＦ６１８は、特定のスライス（すなわち、上記の実施例においてはＳ−ＮＳＳＡＩ＃２）のＳＭＦを発見することができる。
【０１０６】
さらに、ＮＳＳＦ６１１が、第１の選択肢及び第２の選択肢のいずれからも、１つ又は複数の認可コアネットワークスライスに対して早期束縛を実施すべきか、又は、遅延束縛を実施すべきかを判定することが可能でない場合、第２のＡＭＦ６１８が、図２の実施例にあるように、認可ＮＳＳＡＩに基づいて早期ＮＳＩ束縛を実施すべきか、又は、遅延ＮＳＩ束縛を実施すべきかを判定することができる。
【０１０７】
要約すると、様々な実施形態によれば、図７に示すような方法が提供される。
【０１０８】
図７は、移動無線端末デバイスを移動無線通信ネットワークのネットワークスライスインスタンスに関連付ける方法を示す流れ図７００を示す。
【０１０９】
７０１において、ネットワークスライスインスタンスに対する要求が、移動無線端末デバイスから受信される。
【０１１０】
７０２において、移動無線端末デバイスが、要求している移動無線端末デバイスに割り当てられる関連付け情報パラメータに基づくタイミングに従って、ネットワークスライスインスタンスに関連付けられる。
【０１１１】
様々な実施形態によれば、言い換えれば、移動無線端末デバイスが（コア）ネットワークスライスインスタンスと関連付けられる時点の選択が存在する。この選択は、情報パラメータに基づく。この関連付けは、移動無線端末デバイスに対するネットワークスライスインスタンスの動的束縛と考えることができる。関連付けの時点は、例えば、移動無線端末デバイスによる通信確立の様々な段階、例えば、移動無線端末デバイスの登録中又は登録後、例えば、セッション確立中に対応することができる。言い換えれば、選択は、早期束縛（例えば、登録中）と、遅延束縛（例えば、登録成功後のセッション確立中、例えば、ネットワークが登録確認応答を移動無線端末デバイスに送信した後）との間であってもよい。
【０１１２】
図７の手法は、例えば、いつ早期ＮＳＩ束縛を有するべきか、及び、いつ遅延ＮＳＩ束縛を有するべきかの柔軟性を与えることができる。例えば、ネットワークスライスに対して早期ＮＳＩ束縛を実施すべきか、又は、遅延ＮＳＩ束縛を実施すべきかは、スライスタイプ及び／又はオペレータの要求に依存し得る。
【０１１３】
例えば、パラメータ“ｅａｒｌｙ  ｂｉｎｄｉｎｇ  ｉｎｄｉｃａｔｉｏｎ”（早期束縛指示）が導入される。さらに、いつ束縛を実施すべきかの決定を実施するそれぞれのネットワーク機能（例えば、ＡＭＦ又はＮＳＳＦ）において利用可能なオペレータのポリシを考慮に入れることができる。特に、オペレータは、オペレータの要求に適合するために、早期ＮＳＩ束縛を有するべきか、又は、遅延ＮＳＩ束縛を有するべきかを決定することができる。
【０１１４】
図７の方法は、例えば、図８に示すような移動無線通信ネットワークによって実行される。
【０１１５】
図８は、一実施形態による移動無線通信ネットワーク８００を示す。
【０１１６】
移動無線通信ネットワーク８００は、移動無線端末デバイスから、ネットワークスライスインスタンスを移動無線端末デバイスに関連付けるための要求を受信するように構成されている受信機８０１と、移動無線端末デバイスをネットワークスライスインスタンスに関連付けるためのタイミング情報を表す、移動無線端末デバイスに割り当てられる少なくとも１つの情報パラメータを記憶するメモリ８０２とを含む。
【０１１７】
さらに、移動無線通信ネットワーク８００は、要求している移動無線端末デバイスに割り当てられる、記憶されている関連付け情報パラメータに基づくタイミングに従って、移動無線端末デバイスをネットワークスライスインスタンスに関連付けるように構成されている１つ又は複数のプロセッサ８０３を含む。
【０１１８】
図９は、ローミングシナリオ、言い換えれば、ホームへと経路指定される事例における、早期束縛対遅延束縛の決定を示す流れ図９００を示す。
【０１１９】
メッセージフロー９００は、（ホーム）ＵＥ（ｈＵＥとしても参照される）９０１、ＲＡＮ９０２、第１のＡＭＦ＃１  ９０３、（ビジタ）ＮＳＳＦ（ｖＮＳＳＦとしても参照される）９０４及び（ホーム）ＵＤＭ（ｈＵＤＭとしても参照される）９０５の間で行われる。
【０１２０】
９０６において、ｈＵＥ９０１が、第１のＡＭＦ＃１  ９０３に登録要求を送信する。この実施例において、ｈＵＥ９０１は、識別情報Ｓ−ＮＳＳＡＩ＃１、Ｓ−ＮＳＳＡＩ＃２及びＳ−ＮＳＳＡＩ＃３を有する３つのネットワークスライスに関する登録を要求する。
【０１２１】
第１の選択肢（図９のブロックＯｐｔｉｏｎ＃１）９０７において、９０６の登録要求が受信された後、第１のＡＭＦ＃１  ９０３は、加入コンテキスト要求９０８をｈＵＤＭ９０５に送信し、その要求に応答して、ｈＵＤＭ９０５は、対応する加入コンテキスト応答９０９を第１のＡＭＦ＃１  ９０３に送信する。
【０１２２】
加入コンテキスト応答９０９は、以下のメッセージパラメータを含むことができる。
・加入されているＳ−ＮＳＳＡＩ＃１：Ｅａｒｌｙ＿ｂｉｎｄｉｎｇ（早期束縛）
・加入されているＳ−ＮＳＳＡＩ＃２：Ｌａｔｅ＿ｂｉｎｄｉｎｇ（遅延束縛）
【０１２３】
第２の選択肢（図９のブロックＯｐｔｉｏｎ＃２）９１０において、ＵＤＭが、加入されているＳ−ＮＳＳＡＩ（複数可）に対して早期束縛が必要か、又は、遅延束縛が必要かを示さない場合、ローカル構成に基づいて、第１のＡＭＦ＃１  ９０３は、早期束縛を有するか、又は、遅延束縛を有するかを決定することができ、その場合、第１のＡＭＦ＃１  ９０３は、認可ＮＳＳＡＩを作成することが可能であり、そうでない場合、第３の選択肢９１１（図９のブロックＯｐｔｉｏｎ＃３）の以下のプロセス９１２を実施する。
【０１２４】
第３の選択肢９１１は、９１２において、第１のＡＭＦ＃１  ９０３が、９０６の登録要求を受信した後、スライス選択要求をｖＮＳＳＦ９０４に送信する。スライス選択要求は、ｈＵＥ９０１の位置、要求しているＮＳＳＡＩ及び加入されているＮＳＳＡＩに関する情報を含んでもよい。
【０１２５】
９１３において、ｖＮＳＳＦ９０４は、スライス選択要求をホームＮＳＳＦ９１４（ｈＮＳＳＦ９１４としても参照される）に転送することができる。ｈＮＳＳＦ９１４は、それぞれのｈＵＥ９０１のホームＮＳＳＦとして機能する。スライス選択要求は、ｈＵＥ９０１の位置、要求しているＮＳＳＡＩ及び加入されているＮＳＳＡＩに関する情報を含んでもよい。
【０１２６】
９１５において、スライス選択要求の受信に応答して、ｈＮＳＳＦ９１４は、要求しているｖＮＳＳＦ９０４にスライス選択応答を返信する。スライス選択応答は、認可ＮＳＳＡＩのリスト、並びに、認可ＮＳＳＡＩの各々について、早期束縛を実施すべきか、又は、遅延束縛を実施すべきか、及び、任意選択的に、任意のＳ−ＮＳＳＡＩが早期束縛を必要とする場合には、早期束縛しているＳ−ＮＳＳＡＩのスライス固有のホームＮＲＦ（ｈＮＲＦ）又は共有されるＮＲＦ情報を含むことができる。
【０１２７】
９１６において、ｈＮＳＳＦ９１４からスライス選択応答を受信した後、ｖＮＳＳＦ９０４は、ホーム認可（ｈ認可）ＮＳＳＡＩをビジタ認可（ｖ認可）ＮＳＳＡＩにマッピングすることができ、例えば、ｖＮＳＩ＃１を選択することができ、又は、代替的に、ｖＮＳＳＦは、ｈＮＳＳＦが認可ＮＳＳＡＩを送信しない場合、ｈＮＳＳＦから受信される情報に基づいて認可ＮＳＳＡＩを作成してもよい。
【０１２８】
その後、９１７において、ｖＮＳＳＦ９０４が、第１のＡＭＦ＃１  ９０３にスライス選択要求を送信する。９１７のスライス選択応答は、それぞれのＮＳＳＡＩに早期束縛が提供されるか、又は、遅延束縛が提供されるかを示す、それぞれ割り当てられるパラメータ（関連付け情報パラメータの一例）を含むｖ認可ＮＳＳＡＩのリストを含むことができる。９１７のスライス選択応答は、ｈＮＲＦ及びｖＮＲＦの指示をさらに含むことができる。
【０１２９】
その後、９１８において、認可ＮＳＳＡＩについて第１のＡＭＦ＃１  ９０４と第２のＡＭＦ＃２  ９１９との間でリダイレクトを実施することができる。
【０１３０】
その後、９２０において、例えば、Ｓ−ＮＳＳＡＩ＃１について、ｈＵＥ９０１の、ｖ−ＮＳＩ＃１及びｈ−ＮＳＩ＃１  ９２１との束縛（関連付けとして参照される場合もある）が提供される。特定のＳＭＦを、両方のＮＳＩに対して選択することができる。
【０１３１】
この束縛プロセス９２０が完了した後、９２２において、第２のＡＭＦ＃２  ９１９が登録許可をｈＵＥ９０１に送信する。登録許可は、認可ＮＳＳＡＩ、例えば、Ｓ−ＮＳＳＡＩ＃１及びＳ−ＮＳＳＡＩ＃２を含むことができる。
【０１３２】
ブロック９２３に示す遅延束縛の場合、９２４において、ｈＵＥ９０１は、ＰＤＵセッション確立要求を第２のＡＭＦ＃２  ９１９に送信する。ＰＤＵセッション確立要求は、要求されているＮＳＳＡＩ、例えば、Ｓ−ＮＳＳＡＩ＃２を含むことができる。
【０１３３】
９２５において、第２のＡＭＦ＃２は、例えば、ＮＦタイプ、ＳＭＦ、例えばＳ−ＮＳＳＡＩ＃２、及びｈＵＥ９０１の指示（ＵＥ  ＩＤ）を含むＮＦ発見要求を、ｈ−ＮＲＦ及びｖ−ＮＲＦ９２６に送信する。
【０１３４】
ＮＦ発見要求に応答して、９２７において、ｈ−ＮＲＦ及びｖ−ＮＲＦ９２６は、対応するＮＦ発見応答を、要求している第２のＡＭＦ＃２  ９１９に送信することができる。ＮＦ発見応答は、例えば、ＮＳＩ＃２及びＳＭＦ＃２を含むことができる。
【０１３５】
ＮＦ発見応答を受信した後、第２のＡＭＦ＃２  ９１９は、９２８において、ＰＤＵセッション確立要求をｖＮＳＩ及びｈ−ＮＳＩ９２９に送信し、ＰＤＵセッション確立要求の受信に応答して、ｖＮＳＩ及びｈ−ＮＳＩ９２９は、対応するＰＤＵセッション確立応答を第２のＡＭＦ＃２  ９１９に送信する。
【０１３６】
最後に、９３０において、第２のＡＭＦ＃２  ９１９が、ｈＵＥ９０１にＰＤＵセッション確立許可を送信する。
【０１３７】
以下において、様々な実施例を例示する。
【０１３８】
実施例１は、移動無線端末デバイスを移動無線通信ネットワークのネットワークスライスインスタンスに関連付ける方法である。方法は、移動無線端末デバイスから、ネットワークスライスへの接続に対する要求を受信するステップと、要求している移動無線端末デバイスに割り当てられる関連付け情報パラメータに基づくタイミングに従って、ネットワークスライスインスタンスのセットからのネットワークスライスインスタンスに移動無線端末デバイスを関連付けるステップとを含む。
【０１３９】
実施例２において、実施例１の主題は、任意選択で、方法が、異なるタイプのネットワークスライスについて、ネットワークスライスインスタンスのセットからネットワークスライスインスタンスを選択するステップをさらに含むことを含むことができる。
【０１４０】
実施例３において、実施例１又は２のいずれか１つの主題は、任意選択で、方法が、移動無線通信コアネットワークの１つ又は複数のプロセッサによって実施されることを含むことができる。
【０１４１】
実施例４において、実施例１〜３のいずれか１つの主題は、任意選択で、方法が、移動無線端末デバイスが移動無線通信ネットワークにアクセスするプロセスの間に実施されることを含むことができる。
【０１４２】
実施例５において、実施例１〜４のいずれか１つの主題は、任意選択で、方法が、移動無線通信ネットワークに記憶されている端末デバイス固有プロファイルから関連付け情報パラメータを決定するステップをさらに含むことを含むことができる。
【０１４３】
実施例６において、実施例５の主題は、任意選択で、プロファイルが、移動無線通信ネットワーク加入者固有プロファイルであることを含むことができる。
【０１４４】
実施例７において、実施例５又は６のいずれか１つの主題は、任意選択で、プロファイルがユーザ機器（ＵＥ）加入プロファイルであることを含むことができる。
【０１４５】
実施例８において、実施例１〜７のいずれか１つの主題は、任意選択で、方法が、移動無線端末デバイスが移動無線通信ネットワークにアクセスするためのモビリティ管理及び移動ネットワークアクセス制御を処理するアクセス及びモビリティ管理機能を実施する１つ又は複数のプロセッサによって実施されることを含むことができる。
【０１４６】
実施例９において、実施例５〜８のいずれか１つの主題は、任意選択で、プロファイルが、関連付けられる移動無線端末デバイスに対して特定のネットワークスライスインスタンスを選択するためのネットワークスライス情報をさらに含むことを含むことができる。
【０１４７】
実施例１０において、実施例１〜９のいずれか１つの主題は、任意選択で、方法が、移動無線端末デバイスを特定のネットワークスライスインスタンスに関連付けるためにネットワークスライスを選択するために移動無線通信ネットワークオペレータのポリシを実施するステップをさらに含むことを含むことができる。
【０１４８】
実施例１１において、実際例１０の主題は、任意選択で、移動無線通信ネットワークオペレータのポリシを実施するステップが、移動無線通信ネットワークのポリシ制御機能によって実施されることを含むことができる。
【０１４９】
実施例１２において、実際例１０の主題は、任意選択で、移動無線通信ネットワークオペレータのポリシを実施するステップが、移動無線通信ネットワークのネットワークスライス選択機能によって実施されることを含むことができる。
【０１５０】
実施例１３において、実際例１０の主題は、任意選択で、移動無線通信ネットワークオペレータのポリシを実施するステップが、移動無線通信ネットワークのアクセス及びモビリティ管理機能によって実施されることを含むことができる。
【０１５１】
実施例１４において、実施例１〜１３のいずれか１つの主題は、任意選択で、関連付け情報パラメータが、移動無線通信ネットワークのユーザデータ管理機能に記憶されることを含むことができる。
【０１５２】
実施例１５において、実施例１〜１４のいずれか１つの主題は、任意選択で、関連付け情報パラメータが、関連付けが移動無線端末デバイスの登録プロセス中に実施されるべきか、又は、プロトコルデータユニットセッション確立中に実施されるべきかを示すことを含むことができる。
【０１５３】
実施例１６は、１つ又は複数のプロセッサによって実行されると、実施例１〜１５のいずれか１つの移動無線端末デバイスを移動無線通信ネットワークのネットワークスライスインスタンスに関連付ける方法を実施する複数の命令を記憶されているコンピュータ可読媒体である。
【０１５４】
実施例１７は、ネットワークスライスへの接続に対する要求を受信するように構成されている受信機と、移動無線端末デバイスをネットワークスライスインスタンスに関連付けるための関連付け指示情報を表す、移動無線端末デバイスに割り当てられる少なくとも１つの情報パラメータを記憶するメモリと、要求している移動無線端末デバイスに割り当てられる、記憶されている関連付け情報パラメータに基づくタイミングに従って、ネットワークスライスインスタンスのセットからのネットワークスライスインスタンスに移動無線端末デバイスを関連付けるように構成されている１つ又は複数のプロセッサとを含むことができる、移動無線通信ネットワークである。
【０１５５】
実施例１８において、実施例１７の主題は、任意選択で、１つ又は複数のプロセッサが、異なるタイプのネットワークスライスについて、ネットワークスライスインスタンスのセットからネットワークスライスインスタンスを選択するように構成されていることを含むことができる。
【０１５６】
実施例１９において、実施例１７又は１８のいずれか１つの主題は、任意選択で、１つ又は複数のプロセッサが、移動無線通信コアネットワークの１つ又は複数のプロセッサであることを含むことができる。
【０１５７】
実施例２０において、実施例１７〜１９のいずれか１つの主題は、任意選択で、１つ又は複数のプロセッサが、移動無線端末デバイスが移動無線通信ネットワークにアクセスするプロセスの間に関連付けを実施するように構成されていることを含むことができる。
【０１５８】
実施例２１において、実施例１７〜２０のいずれか１つの主題は、任意選択で、１つ又は複数のプロセッサが、移動無線通信ネットワークに記憶されている端末デバイス固有プロファイルから関連付け情報パラメータを決定するように構成されていることを含むことができる。
【０１５９】
実施例２２において、実施例２１の主題は、任意選択で、プロファイルが、移動無線通信ネットワーク加入者固有プロファイルであることを含むことができる。
【０１６０】
実施例２３において、実施例２１又は２２のいずれか１つの主題は、任意選択で、プロファイルがユーザ機器加入プロファイルであることを含むことができる。
【０１６１】
実施例２４において、実施例１７〜２３のいずれか１つの主題は、任意選択で、１つ又は複数のプロセッサが、移動無線端末デバイスが移動無線通信ネットワークにアクセスするためのモビリティ管理及び移動ネットワークアクセス制御を処理するアクセス及びモビリティ管理機能を実施するように構成されていることを含むことができる。
【０１６２】
実施例２５において、実施例２１〜２４のいずれか１つの主題は、任意選択で、プロファイルが、関連付けられる移動無線端末デバイスに対して特定のネットワークスライスインスタンスを選択するためのネットワークスライス情報をさらに含むことを含むことができる。
【０１６３】
実施例２６において、実施例１７〜２５のいずれか１つの主題は、任意選択で、１つ又は複数のプロセッサが、移動無線端末デバイスを特定のネットワークスライスインスタンスに関連付けるためにネットワークスライスを選択するための移動無線通信ネットワークオペレータのポリシを実施するように構成されていることを含むことができる。
【０１６４】
実施例２７において、実際例２６の主題は、任意選択で、移動無線通信ネットワークオペレータのポリシを実施するステップが、移動無線通信ネットワークのポリシ制御機能によって実施されることを含むことができる。
【０１６５】
実施例２８において、実際例２６の主題は、任意選択で、移動無線通信ネットワークオペレータのポリシを実施するステップが、移動無線通信ネットワークのネットワークスライス選択機能によって実施されることを含むことができる。
【０１６６】
実施例２９において、実際例２６の主題は、任意選択で、移動無線通信ネットワークオペレータのポリシを実施するステップが、移動無線通信ネットワークのアクセス及びモビリティ管理機能によって実施されることを含むことができる。
【０１６７】
実施例３０において、実施例１７〜２９のいずれか１つの主題は、任意選択で、関連付け情報パラメータを記憶するように構成されているメモリが、移動無線通信ネットワークのユーザデータ管理機能の一部分であることを含むことができる。
【０１６８】
実施例３１において、実施例１７〜３０のいずれか１つの主題は、任意選択で、関連付け情報パラメータが、関連付けが移動無線端末デバイスの登録プロセス中に実施されるべきか、又は、プロトコルデータユニットセッション確立中に実施されるべきかを示すことを含むことができる。
【０１６９】
実施例３２は、移動無線端末デバイスを移動無線通信ネットワークのネットワークスライスインスタンスに関連付ける方法である。方法は、移動無線端末デバイスからネットワークスライス選択支援情報を受信するステップと、要求している移動無線端末デバイスに割り当てられる関連付け情報パラメータを決定するステップと、決定されている関連付け情報パラメータに基づくタイミングに従って、移動無線端末デバイスをネットワークスライスインスタンスに関連付けるステップとを含むことができる。
【０１７０】
実施例３３において、実施例３２の主題は、任意選択で、方法が、受信されているネットワークスライス選択支援情報に従って、ネットワークスライスインスタンスのセットからネットワークスライスインスタンスを選択するステップをさらに含むことを含むことができる。
【０１７１】
実施例３４において、実施例３３の主題は、任意選択で、方法が、受信されているネットワークスライス選択支援情報に従って、異なるタイプのネットワークスライスについて、ネットワークスライスインスタンスのセットからネットワークスライスインスタンスを選択するステップをさらに含むことを含むことができる。
【０１７２】
実施例３５において、実施例３２〜３４のいずれか１つの主題は、任意選択で、方法が、移動無線通信コアネットワークの１つ又は複数のプロセッサによって実施されることを含むことができる。
【０１７３】
実施例３６において、実施例３２〜３５のいずれか１つの主題は、任意選択で、方法が、移動無線端末デバイスが移動無線通信ネットワークにアクセスするプロセスの間に実施されることを含むことができる。
【０１７４】
実施例３７において、実施例３２〜３６のいずれか１つの主題は、任意選択で、方法が、移動無線通信ネットワークに記憶されている端末デバイス固有プロファイルから関連付け情報パラメータを決定するステップをさらに含むことを含むことができる。
【０１７５】
実施例３８において、実施例３７の主題は、任意選択で、プロファイルが、移動無線通信ネットワーク加入者固有プロファイルであることを含むことができる。
【０１７６】
実施例３９において、実施例３７又は３８のいずれか１つの主題は、任意選択で、プロファイルがユーザ機器（ＵＥ）加入プロファイルであることを含むことができる。
【０１７７】
実施例４０において、実施例３２〜３９のいずれか１つの主題は、任意選択で、方法が、移動無線端末デバイスが移動無線通信ネットワークにアクセスするためのモビリティ管理及び移動ネットワークアクセス制御を処理するアクセス及びモビリティ管理機能を実施する１つ又は複数のプロセッサによって実施されることを含むことができる。
【０１７８】
実施例４１において、実施例３７〜４０のいずれか１つの主題は、任意選択で、プロファイルが、関連付けられる移動無線端末デバイスに対して特定のネットワークスライスインスタンスを選択するためのネットワークスライス情報をさらに含むことを含むことができる。
【０１７９】
実施例４２において、実施例３２〜４１のいずれか１つの主題は、任意選択で、方法が、移動無線端末デバイスを特定のネットワークスライスインスタンスに関連付けるためにネットワークスライスを選択するための移動無線通信ネットワークオペレータのポリシを実施するステップをさらに含むことを含むことができる。
【０１８０】
実施例４３において、実際例４２の主題は、任意選択で、移動無線通信ネットワークオペレータのポリシを実施するステップが、移動無線通信ネットワークのポリシ制御機能によって実施されることを含むことができる。
【０１８１】
実施例４４において、実際例４２の主題は、任意選択で、移動無線通信ネットワークオペレータのポリシを実施するステップが、移動無線通信ネットワークのネットワークスライス選択機能によって実施されることを含むことができる。
【０１８２】
実施例４５において、実際例４２の主題は、任意選択で、移動無線通信ネットワークオペレータのポリシを実施するステップが、移動無線通信ネットワークのアクセス及びモビリティ管理機能によって実施されることを含むことができる。
【０１８３】
実施例４６において、実施例３２〜４５のいずれか１つの主題は、任意選択で、関連付け情報パラメータが、移動無線通信ネットワークのユーザデータ管理機能に記憶されることを含むことができる。
【０１８４】
実施例４７において、実施例３７〜４６のいずれか１つの主題は、任意選択で、関連付け情報パラメータが、関連付けが移動無線端末デバイスの登録プロセス中に実施されるべきか、又は、プロトコルデータユニットセッション確立中に実施されるべきかを示すことを含むことができる。
【０１８５】
実施例４８は、１つ又は複数のプロセッサによって実行されると、実施例３２〜４７のいずれか１つの移動無線端末デバイスを移動無線通信ネットワークのネットワークスライスインスタンスに関連付ける方法を実施する複数の命令を記憶されているコンピュータ可読媒体である。
【０１８６】
実施例４９は、移動無線端末デバイスからネットワークスライス選択支援情報を受信するように構成されている受信機と、要求している移動無線端末デバイスに割り当てられる関連付け情報パラメータを決定し、決定されている関連付け情報パラメータに基づくタイミングに従って、移動無線端末デバイスをネットワークスライスインスタンスに関連付けるように構成されている１つ又は複数のプロセッサと含むことができる、移動無線通信ネットワーク。
【０１８７】
実施例５０において、実施例４９の主題は、任意選択で、１つ又は複数のプロセッサが、受信されているネットワークスライス選択支援情報に従って、ネットワークスライスインスタンスのセットからネットワークスライスインスタンスを選択するように構成されていることを含むことができる。
【０１８８】
実施例５１において、実施例５０の主題は、任意選択で、１つ又は複数のプロセッサが、受信されているネットワークスライス選択支援情報に従って、異なるタイプのネットワークスライスについて、ネットワークスライスインスタンスのセットからネットワークスライスインスタンスを選択するように構成されていることを含むことができる。
【０１８９】
実施例５２において、実施例４９〜５１のいずれか１つの主題は、任意選択で、１つ又は複数のプロセッサが、移動無線通信コアネットワークの１つ又は複数のプロセッサであることを含むことができる。
【０１９０】
実施例５３において、実施例４９〜５２のいずれか１つの主題は、任意選択で、１つ又は複数のプロセッサが、移動無線端末デバイスが移動無線通信ネットワークにアクセスするプロセスの間に関連付けを実施するように構成されていることを含むことができる。
【０１９１】
実施例５４において、実施例４９〜５３のいずれか１つの主題は、任意選択で、１つ又は複数のプロセッサが、移動無線通信ネットワークに記憶されている端末デバイス固有プロファイルから関連付け情報パラメータを決定するように構成されていることを含むことができる。
【０１９２】
実施例５５において、実施例５４の主題は、任意選択で、プロファイルが、移動無線通信ネットワーク加入者固有プロファイルであることを含むことができる。
【０１９３】
実施例５６において、実施例５４又は５５のいずれか１つの主題は、任意選択で、プロファイルがユーザ機器加入プロファイルであることを含むことができる。
【０１９４】
実施例５７において、実施例４９〜５６のいずれか１つの主題は、任意選択で、１つ又は複数のプロセッサが、移動無線端末デバイスが移動無線通信ネットワークにアクセスするためのモビリティ管理及び移動ネットワークアクセス制御を処理するアクセス及びモビリティ管理機能を実施するように構成されていることを含むことができる。
【０１９５】
実施例５８において、実施例５４〜５７のいずれか１つの主題は、任意選択で、プロファイルが、関連付けられる移動無線端末デバイスに対して特定のネットワークスライスインスタンスを選択するためのネットワークスライス情報をさらに含むことを含むことができる。
【０１９６】
実施例５９において、実施例４９〜５８のいずれか１つの主題は、任意選択で、１つ又は複数のプロセッサが、移動無線端末デバイスを特定のネットワークスライスインスタンスに関連付けるためにネットワークスライスを選択するための移動無線通信ネットワークオペレータのポリシを実施するように構成されていることを含むことができる。
【０１９７】
実施例６０において、実際例５９の主題は、任意選択で、移動無線通信ネットワークオペレータのポリシを実施するステップが、移動無線通信ネットワークのポリシ制御機能によって実施されることを含むことができる。
【０１９８】
実施例６１において、実際例５９の主題は、任意選択で、移動無線通信ネットワークオペレータのポリシを実施するステップが、移動無線通信ネットワークのネットワークスライス選択機能によって実施されることを含むことができる。
【０１９９】
実施例６２において、実際例５９の主題は、任意選択で、移動無線通信ネットワークオペレータのポリシを実施するステップが、移動無線通信ネットワークのアクセス及びモビリティ管理機能によって実施されることを含むことができる。
【０２００】
実施例６３において、実施例４９〜６２のいずれか１つの主題は、任意選択で、関連付け情報パラメータを記憶するように構成されたメモリが、移動無線通信ネットワークのユーザデータ管理機能の一部分であることを含むことができる。
【０２０１】
実施例６４において、実施例４９〜６３のいずれか１つの主題は、任意選択で、関連付け情報パラメータが、関連付けが移動無線端末デバイスの登録プロセス中に実施されるべきか、又は、プロトコルデータユニットセッション確立中に実施されるべきかを示すことを含むことができる。
【０２０２】
さらなる実施例によれば、ユーザ機器を、異なるタイプのネットワークスライスのネットワークスライスインスタンスのセットを含む移動コアネットワークを有する移動通信ネットワークのネットワークスライスインスタンス（ＮＳＩ）と関連付ける方法が提供される。方法は、ＵＥが、移動通信ネットワークにアクセスするステップと、アクセス及びモビリティ管理機能（ＡＭＦ）が、ＵＥが移動通信ネットワークにアクセスするためのモビリティ管理及び移動ネットワークアクセス制御を処理するステップと、ＵＥ加入プロファイル（ユーザデータ管理、ＵＤＭ）が、ＵＥの関連するネットワークスライス情報を記憶するステップと、ネットワーク機能が、ＵＥを特定のネットワークスライスインスタンスに関連付けるためのネットワークスライスに関するオペレータのポリシを提供するステップと、ネットワーク機能が、ＵＥを特定のネットワークスライスインスタンスに関連付けるためのネットワークスライスに関するオペレータのポリシを執行するステップと、を含む。
【０２０３】
ＵＥを特定のネットワークスライスインスタンスに関連付けるためのネットワークスライスに関するオペレータのポリシを提供するネットワーク機能は、例えば、ＰＣＦであってもよい。
【０２０４】
ＵＥを特定のネットワークスライスインスタンスに関連付けるためのネットワークスライスに関するオペレータのポリシを執行するネットワーク機能は、例えば、ＮＳＳＦ又はＡＭＦであってもよい。
【０２０５】
ＵＥが、ＵＥ登録中に、又は、ＵＥが移動通信ネットワークにアタッチするときに、特定のネットワークスライスインスタンスと関連付けられる必要があるかを指定する指示を記憶するネットワーク機能は、例えば、ＵＤＭであってもよい。
【０２０６】
移動無線通信ネットワーク（例えば、受信機、メモリ及び１つ又は複数のプロセッサ）は、例えば、１つ又は複数の回路によって実装されてもよい。「回路」は、専用回路、又は、メモリ、ファームウェア、若しくはそれらの任意の組合せに記憶されているプロセッサ実行ソフトウェアであってもよい、任意の種類の論理実装エンティティとして理解され得る。したがって、「回路」は、ハードワイヤード論理回路、又は、例えばマイクロプロセッサなどのプログラム可能プロセッサのようなプログラム可能論理回路であってもよい。「回路」はまた、例えば任意の種類のコンピュータプログラムなどのプロセッサ実行ソフトウェアであってもよい。下記により詳細に説明するそれぞれの機能の任意の他の種類の実施態様も、「回路」として理解され得る。
【０２０７】
特定の態様が記載されているが、添付の特許請求の範囲によって画定される本開示の趣旨及び態様の範囲から逸脱することなく、形式及び詳細において様々な変更がなされ得ることが当業者には理解されるべきである。したがって、その範囲は添付の特許請求の範囲によって示され、それゆえ、特許請求の範囲と均等な意味及び範囲内に入るすべての変更が包含されるように意図されている。
【図１】
2019532523.tif 000003
【図２】
2019532523.tif 000004
【図３】
2019532523.tif 000005
【図４】
2019532523.tif 000006
【図５】
2019532523.tif 000007
【図６】
2019532523.tif 000008
【図７】
2019532523.tif 000009
【図８】
2019532523.tif 000010
【図９】
2019532523.tif 000011
【国際調査報告】
2019532523.tif 000012
2019532523.tif 000013
2019532523.tif 000014
2019532523.tif 000015